(57)【要約】【課題】基板に対してスキャン方式による現像液の塗布を行うにあたり、プルバック現象（液弾き）の発生を抑えながら基板に現像液を接触させ、該基板上に形成された露光領域のレジストを溶解すること。またスキャン方式によって現像処理を行うにあたり、現像液の消費量を抑えること。【解決手段】基板上の露光済みのレジスト膜の表面に、該基板の有効領域に対応する長さの吐出口が形成されたノズルを、吐出口の長さ方向と直交する側に、且つ基板の一端側から他端側へ移動させる。このときノズルは現像液を吐出し、且つ基板上の現像液を表面張力で引き寄せながら移動し、これに伴いノズルの後方側で基板表面が目視では液膜を確認できない状態となるように、現像液に気体を吹き付けて該現像液を進行方向側に送り出す。ノズルが他端側まで移動を終えると、静止現像が行われ、その後基板の洗浄が行われる。【選択図】　図３
2004071637.tif 000002
【特許請求の範囲】
【請求項１】
表面にレジストが塗布され、露光処理の施された基板を略水平に保持する基板保持部と、
前記基板の有効領域の幅に対応する長さに亘って現像液の吐出口が形成された現像液ノズルと、
前記吐出口の長さ方向と略直交する方向に、且つ前記基板の一端側から他端側へ当該基板と相対的に現像液ノズルを移動させる移動機構と、
前記現像液ノズルが現像液を基板の表面に接触させながら移動するときに、表面張力により当該現像液が現像液ノズルに引き寄せられて現像液ノズルの通過後の基板の表面が目視では液膜を確認できない状態となるように、現像液ノズルから吐出された現像液を進行方向に向かって送る液送り手段と、を備えたことを特徴とする現像装置。
【請求項２】
液送り手段は、現像液ノズルから吐出された現像液に後方側から気体を吹き付ける気体吹きつけ手段により構成されることを特徴とする請求項１記載の現像処理装置。
【請求項３】
液送り手段は、現像液ノズルから吐出された現像液の後方側を進行方向側に押圧する押圧部材により構成されることを特徴とする請求項１記載の現像処理装置。
【請求項４】
液送り手段は、現像液ノズルの後部側に設けられることを特徴とする請求項２または３記載の現像処理装置。
【請求項５】
液送り手段は、基板を現像液ノズルの進行方向側が下がるように傾けるための手段により構成されることを特徴とする請求項１記載の現像処理装置。
【請求項６】
表面にレジストが塗布され、露光処理の施された基板を略水平に保持する基板保持部と、
前記基板の有効領域の幅に対応する長さに亘って現像液の吐出口が形成された現像液ノズルと、
前記吐出口の長さ方向と略直交する方向に、且つ前記基板の一端側から他端側へ当該基板と相対的に現像液ノズルを移動させる移動機構と、
前記現像液ノズルからの現像液が基板の表面に接触しながら、現像液ノズルの通過後の基板の表面が目視では液膜を確認できない状態となる速度で現像液ノズルを移動させるように現像液の供給量と現像液ノズルの移動速度が調整されていることを特徴とする現像装置。
【請求項７】
表面にレジストが塗布され、露光処理の施された基板を略水平に保持する基板保持部と、
前記基板の有効領域の幅に対応する長さに亘って現像液の吐出口が形成されると共にこの現像液ノズルと、
前記吐出口の長さ方向と略直交する方向に、且つ前記基板の一端側から他端側へ当該基板と相対的に現像液ノズルを移動させる移動機構と、
前記現像液ノズルが現像液が現像液を基板の表面に接触させながら移動するときに、現像液ノズルの通過後の基板の表面が目視では液膜を確認できない状態となるように現像液を吸引する吸引手段と、を備えたことを特徴とする現像装置。
【請求項８】
吸引手段は現像液ノズルに設けられたことを特徴とする請求項７記載の現像装置。
【請求項９】
現像液が基板の表面に接触しながら現像液ノズルが移動した後、現像液を希釈する希釈液を基板の表面に供給するための希釈液供給ノズルを備えたことを特徴とする請求項１ないし８のいずれかに記載の現像処理装置。
【請求項１０】
現像液が基板の表面に接触しながら現像液ノズルが移動した後、基板の表面に現像液を供給して現像液の液盛りを行うための液盛り用ノズルを備えたことを特徴とする請求項１ないし８のいずれかに記載の現像処理装置。
【請求項１１】
液盛り用ノズルは前記現像液ノズルを共用していることを特徴とする請求項１０記載の現像処理装置。
【請求項１２】
未露光領域のレジスト膜の表面における水の接触角が６０度以上であることを特徴とする請求項１ないし１１のいずれかに記載の現像処理装置。
【請求項１３】
表面にレジストが塗布され、露光処理の施された基板を略水平に保持する工程と、
前記基板の有効領域の幅に対応する長さに亘って吐出口が形成された現像液ノズルを、前記吐出口の長さ方向と直交する方向に、且つ前記基板の一端側から他端側へ当該基板と相対的に移動させる工程と、
前記現像液ノズルが現像液を基板の表面に接触させながら移動するときに、表面張力により当該現像液が現像液ノズルに引き寄せられて現像液ノズルの通過後の基板の表面が目視では液膜を確認できない状態となるように、現像液ノズルから吐出された現像液を進行方向に向かって送る工程と、を含むことを特徴とする現像処理方法。
【請求項１４】
表面にレジストが塗布され、露光処理の施された基板を略水平に保持する工程と、
前記基板の有効領域の幅に対応する長さに亘って吐出口が形成された現像液ノズルを、前記吐出口の長さ方向と直交する方向に、且つ前記基板の一端側から他端側へ当該基板と相対的に移動させる工程と、
前記現像液ノズルからの現像液が基板の表面に接触しながら、現像液ノズルの通過後の基板の表面が目視では液膜を確認できない状態となる速度で現像液ノズルを移動させる工程と、を含むことを特徴とする現像処理方法。
【請求項１５】
表面にレジストが塗布され、露光処理の施された基板を略水平に保持する工程と、
前記基板の有効領域の幅に対応する長さに亘って吐出口が形成された現像液ノズルを、前記吐出口の長さ方向と直交する方向に、且つ前記基板の一端側から他端側へ当該基板と相対的に移動させる工程と、
前記現像液ノズルが現像液が現像液を基板の表面に接触させながら移動するときに、現像液ノズルの通過後の基板の表面が目視では液膜を確認できない状態となるように現像液を吸引する工程と、を含むことを特徴とする現像処理方法。
【請求項１６】
現像液が基板の表面に接触しながら現像液ノズルが移動した後、現像液を希釈する希釈液を基板の表面に供給する工程を含むことを特徴とする請求項１３，１４または１５記載の現像処理方法。
【請求項１７】
現像液が基板の表面に接触しながら現像液ノズルが移動した後、基板の表面に現像液を供給して現像液の液盛りを行う工程を含むことを特徴とする請求項１３，１４または１５記載の現像処理方法。
【請求項１８】
未露光領域のレジスト膜の表面における水の接触角が６０度以上であることを特徴とする請求項１３ないし１７のいずれかに記載の現像処理方法。
【発明の詳細な説明】
【０００１】
【発明の属する技術分野】
本発明は、例えばレジストが塗布され、露光処理がされた基板の表面に現像液を供給して現像処理を行う装置及びその方法に関する。
【０００２】
【従来の技術】
半導体ウエハ（以下ウエハという）や液晶ディスプレイ用のＬＣＤ基板等への回路パターンの形成に必要となるレジストパターン（マスク）は、以下の工程により形成される。先ずウエハの表面にフォトレジスト溶液（以下レジストという）の塗布を行い、次いで光等の照射を行うと前記レジストが例えばネガ型ならば光の当たった部分が硬化する。そして硬化しない部分即ちレジストの溶けやすい部分を現像液により溶解し、しかる後洗浄液で当該ウエハの表面を洗浄することで目的とするレジストパターンが形成される。
【０００３】
上記工程における現像液の供給は、例えば図１５に示すようなスキャン方式と呼ばれる手法により行われる。この手法は図１５（ａ）に示すようなウエハＷの直径方向に対応する長さに亘って配列される多数の吐出孔１１を備えた供給ノズル１２を、先ずスピンチャック１３により水平に保持されたウエハＷの周縁外側に配置し、この位置から図１５（ｂ）に示すように現像液の吐出を行いながら反対側のウエハＷの周縁外側までの間を移動させるものであり、このようにすることでウエハＷ表面には現像液の液膜が形成される。具体的には例えば供給ノズル１２のスキャン速度（最高速度）を７０ｍｍ／秒程度とし、現像液の吐出流量をウエハＷのサイズが２００ｍｍ径であれば１．２リットル／分程度、同じく３００ｍｍ径であれば１．８リットル／分程度とすることで、ウエハＷの表面に例えば１．０ｍｍ程度の液膜を形成していた。
【０００４】
【発明が解決しようとする課題】
しかし、近年では露光処理を経て得られるレジスト膜が高い撥水性を有する種類のレジストの使用が検討されてきており、このようなレジスト膜に現像液を塗布するとレジスト膜に対する現像液の濡れ性が低いために、その表面張力により部分的に現像液が弾かれ、弾かれた現像液が当該塗布された領域の周辺に移動して一部の場所に集まってしまういわゆるプルバック現象（液弾き）が生じることがあった。このプルバック現象が生じると、例えば図１６（ａ）〜（ｄ）の夫々に示すようにウエハＷの表面は目視により液盛りを確認できる部位（液の移動先）Ｐ１と、目視では液盛りを確認できない部位（液の移動元）Ｐ２とにはっきり分かれてしまう。
【０００５】
プルバック現象はウエハＷの端部近傍に現像液を供給する際に生じやすい。例えば供給ノズル１２から見たウエハＷの手前側端部にて、ウエハＷの端部表面に供給された現像液のうち、外縁部を伝い自重により落下する現像液によって引き伸ばされた分が液切れし、その反動でプルバック現象が起こることもあれば、供給ノズル１２から見たウエハＷの奥側端部にて、当該ウエハＷ上の現像液が表面張力により繋がる供給ノズル１２により当該供給ノズル１２の進行方向側に引き伸ばされ（図１７（ａ））、これが液切れした反動で図１７（ｂ）及び（ｃ）に示すようにプルバック現象が起こることもある。図１７（ｃ）におけるＰ１，Ｐ２は図１６（（ａ）〜（ｄ））のそれに相当する。
【０００６】
更に、ウエハＷは概ね円形であり、供給ノズル１２から見た被塗布領域の幅は常に変化し続けるため、上述したプルバック現象はウエハＷ外周全ての部位にて生じ得る。また液流れの発生により現像液膜が波立つことでウエハＷの端部以外の部位、例えばウエハＷの中央部や、或いは現像液の膜厚が薄くなっている部位をきっかけにプルバック現象が起こることもある。
【０００７】
このようにプルバック現象が発生すると、上述したウエハＷ上における液の移動先Ｐ１と移動元Ｐ２との間で、即ちプルバック現象のの起こっている部位と起こっていない部位との間で現像後に得られるマスクパターンの線幅精度に差が生じ、結果として面内均一性が低下してしまう。そこで供給ノズル１２のスキャン速度をこれまでよりも遅くしてプルバック現象の発生を防ぐことも検討されたが、このようにすると供給ノズル１２の移動に伴い、図１８（ａ）及び（ｂ）にて示すように現像液が供給ノズル１２の吐出口１１の真下位置よりも前方（供給ノズル１２の移動する方向）側に先行してしまういわゆる液先行が生じてしまう。液先行の生じた部位と生じない部位とでは、例えば現像液及びレジストの種類によっては、現像液が露光済みのレジストに浸透する速度が異なってしまったり、或いはレジスト膜と現像液との反応する時間に差が生じること等があるため、やはりマスクパターンの線幅精度がウエハＷの面内で不均一となってしまうし、供給ノズル１２の速度を落としているためスループットが低下するという問題もある。
【０００８】
本発明はこのような事情に基づいてなされたものであり、その目的は、基板に対してスキャン方式による現像液の塗布を行うにあたり、プルバック現象（液弾き）の発生を抑えながら基板に現像液を接触させ、当該基板上に形成された露光領域のレジストを溶解する技術を提供することにある。また本発明の他の目的は、スキャン方式によって現像処理を行うにあたり、現像液の消費量を抑える技術を提供することである。
【０００９】
【課題を解決するための手段】
本発明に係る現像処理装置は、表面にレジストが塗布され、露光処理の施された基板を略水平に保持する基板保持部と、前記基板の有効領域の幅に対応する長さに亘って現像液の吐出口が形成された現像液ノズルと、前記吐出口の長さ方向と略直交する方向に、且つ前記基板の一端側から他端側へ当該基板と相対的に現像液ノズルを移動させる移動機構と、前記現像液ノズルが現像液を基板の表面に接触させながら移動するときに、表面張力により当該現像液が現像液ノズルに引き寄せられて現像液ノズルの通過後の基板の表面が目視では液膜を確認できない状態となるように、現像液ノズルから吐出された現像液を進行方向に向かって送る液送り手段と、を備えたことを特徴とする。
【００１０】
このような構成によれば、基板上に形成されたレジストに対し、現像液を従来のように目視で確認できるほどに液盛りしなくても、当該レジストにおける露光領域を十分に溶解することができ、線幅の面内均一性が向上する。従って液盛りを行うことで生じていた弊害、即ち基板上に撥水性の高いレジスト膜が形成されていた場合におけるプルバック現象の発生や、現像液膜の膜厚の不均一性に起因する線幅精度の低下といった問題を抑えることができる。具体的には、例えば現像液ノズルから吐出された現像液に後方側から気体を吹き付ける気体吹きつけ手段としてもよいし、現像液ノズルから吐出された現像液の後方側を進行方向側に押圧する押圧部材としてもよい。また液送り手段を現像液ノズルに設けず、基板を現像液ノズルの進行方向側が下がるように傾けるための手段としてもよい。
【００１１】
また本発明に係る他の現像処理装置は、表面にレジストが塗布され、露光処理の施された基板を略水平に保持する基板保持部と、前記基板の有効領域の幅に対応する長さに亘って現像液の吐出口が形成された現像液ノズルと、前記吐出口の長さ方向と略直交する方向に、且つ前記基板の一端側から他端側へ当該基板と相対的に現像液ノズルを移動させる移動機構と、前記現像液ノズルからの現像液が基板の表面に接触しながら、現像液ノズルの通過後の基板の表面が目視では液膜を確認できない状態となる速度で現像液ノズルを移動させるように現像液の供給量と現像液ノズルの移動速度が調整されていることを特徴とする。
【００１２】
更に他の現像処理装置は、表面にレジストが塗布され、露光処理の施された基板を略水平に保持する基板保持部と、前記基板の有効領域の幅に対応する長さに亘って現像液の吐出口が形成されると共にこの現像液ノズルと、前記吐出口の長さ方向と略直交する方向に、且つ前記基板の一端側から他端側へ当該基板と相対的に現像液ノズルを移動させる移動機構と、前記現像液ノズルが現像液が現像液を基板の表面に接触させながら移動するときに、現像液ノズルの通過後の基板の表面が目視では液膜を確認できない状態となるように現像液を吸引する吸引手段と、を備えたことを特徴とする。
【００１３】
これらのように、本発明では液送り手段は必ずしも設けなくてもよく、上記２つの構成とすることで、現像処理時において液送り手段を設けたときと同等の効果を得ることができる。なお吸引手段は現像液ノズルの後部側に設けることが好ましい。
【００１４】
また現像液の種類や処理条件などの各種事情により、上述した各発明の構成では十分に現像反応を進行させることができない場合には、現像液が基板の表面に接触しながら現像液ノズルが移動した後、基板の表面に現像液を供給して現像液の液盛りを行うことが好ましい。また現像反応後に生じるレジストの溶解生成物が散在することを防ぐ必要があるときには、現像液が基板の表面に接触しながら現像液ノズルが移動した後、基板の表面に現像液を希釈するための希釈液を供給することが好ましい。液盛りを行うための液盛り用ノズルについては現像液ノズルと共用してもよい。なお上記各発明に係る現像処理装置は、基板上に形成される未露光領域のレジスト膜の表面における水の接触角が６０度以上であるときに適用されることが好ましい。
【００１５】
更にまた本発明に係る現像処理方法は、表面にレジストが塗布され、露光処理の施された基板を略水平に保持する工程と、前記基板の有効領域の幅に対応する長さに亘って吐出口が形成された現像液ノズルを、前記吐出口の長さ方向と直交する方向に、且つ前記基板の一端側から他端側へ当該基板と相対的に移動させる工程と、前記現像液ノズルが現像液を基板の表面に接触させながら移動するときに、表面張力により当該現像液が現像液ノズルに引き寄せられて現像液ノズルの通過後の基板の表面が目視では液膜を確認できない状態となるように、現像液ノズルから吐出された現像液を進行方向に向かって送る工程と、を含むことを特徴とする。
【００１６】
【発明の実施の形態】
以下、本発明に係る現像処理装置の第１の実施の形態について説明する。先ず本実施の形態の全体構成について図１に示す縦断面図を参照しながら説明すると、図中２は基板である半導体ウエハ（以下ウエハという）Ｗの裏面中心部を真空吸着し、これを略水平に保持する基板保持部であり、駆動部２１の働きにより回転及び昇降できるようになっている。基板保持部２により吸着保持された状態において、ウエハＷの側方には、これを取り囲むようにしてカップ２２が設けられている。カップ２２は各々上下可動な外カップ２３と内カップ２４とで構成されており、外カップ２３は下部側は円筒状、上部側が四角筒状に形成され、内カップ２４は円筒の上部側が上方内側に傾斜し、上部側開口部が下部側開口部より狭くなるように形成されている。また外カップ２３は昇降部２５の働きにより昇降自在とされており、内カップ２４は外カップ２３の移動範囲の一部において連動して昇降する。内カップ２４の下部側には基板保持部２の周囲を囲む円板２６と、この円板２６の周り全周に亘って凹部が形成された液受け部２７とが設けられており、この液受け部２７の側面より僅かに内側に外カップ２３（及び内カップ２４）が収まる構成とされている。また液受け部２７の底面には排気管及び排液管を兼ねるドレイン管２８が接続され、円板２７の周縁部には断面山形のリング体２９が設けられている。
【００１７】
次いで図２に示す平面図を参照しながらカップ２２の外側について説明すると、外カップ２３の外側には例えば外カップ２３上部側の一辺と平行になるようにＹ方向に延びるガイドレール３０が設けられている。この図ではガイドレール３０の一端側に現像液ノズル４を移動させるための第１の移動機構５が、他端側に洗浄手段である洗浄ノズル３１を移動させるための第２の移動機構３２が夫々位置しており、これら第１及び第２の移動機構５，３２がガイドレール３０に案内されてウエハＷの上方を移動できるように構成されている。また現像液ノズル４は供給管４１及びバルブＶ１を介して現像液供給部４２と接続される。洗浄ノズル３１は供給管３３及びバルブＶ２を介して洗浄液供給部３４と接続される。なお図２における第１の移動機構５及び第２の移動機構３２が示されている位置は、非作業時における夫々の待機位置であり、例えば現像液ノズル４の位置にはバスユニット３５が、洗浄ノズル３１の位置にはバスユニット３６が夫々設けられている。
【００１８】
次に第１の移動機構５及び現像液ノズル４の詳細な構成について図２及び図３を参照して説明する。図３（ａ）は現像液ノズル４を第１の移動機構５側から見たときの縦断面図であり、図３（ｂ）は基板保持部２側から見たときの第１の移動機構５及び現像液ノズル４の部分縦断面図である。ここで現像液ノズル４は、ウエハＷの表面に現像液の供給を行う液吐出部４Ａと、この液吐出部４Ａの側方に設けられ、液吐出部４ＡからウエハＷの表面に供給された現像液を当該現像液ノズル４の移動する方向に押し出すための液送り手段である気体吹きつけ手段４Ｂとを備えるが、図３（ｂ）については作図の便宜上液吐出部４Ａの内部を示す図中右側部位において気体吹きつけ手段４Ｂの図示を省略している。
【００１９】
先ず現像液ノズル４から説明すると液吐出部４Ａは、例えばウエハＷの有効領域の幅と同じかそれ以上の長さに亘って現像液を吐出できるように形成されたスリット状の吐出口４３（図３（ａ）参照）と、この吐出口４３に現像液流路４４を介して連通する現像液貯留部４５とを備えている。ウエハＷの有効領域とは、この例ではレジスト膜が使用される領域であり、デバイスの形成領域に相当する。
【００２０】
現像液貯溜部４５は、既述の供給管４１及び開閉バルブＶ１を介して現像液供給部４２と接続される。また図３（ｂ）に示すように現像液流路４４は現像液ノズル４の長さ方向に亘って配列される多数の孔部Ｐからなり、現像液貯溜部４５に貯留される現像液を当該孔部Ｐにて分散して吐出口４３へと向かわせ、当該現像液がウエハＷの表面に当たる衝撃（現像液ノズル４の吐出圧力）を抑える役目を果たすものである。吐出口４３内には、現像液ノズル４の長さ方向に伸びるように例えば石英またはセラミックスからなる緩衝棒４６が設けられており、この緩衝棒４６は現像液流路４４（或いは孔部Ｐ）からの現像液がウエハＷの表面へ当たるときの衝撃を抑えると共に現像液の吐出圧力が現像液供給ノズル４の長さ方向で均一にする役割をも有する。
【００２１】
気体吹きつけ手段４Ｂは、例えば現像液ノズル４の進行する方向を見たときにおける液吐出部４Ａの後方側に支持部材４７を介して支持されており、その内部には吐出口４８とこれに連通するバッファ室４９とが形成されている。吐出口４８は例えば隙間０．２〜１．０ｍｍのスリットを、現像液ノズル４の吐出口４３の長さ方向にほぼ同じ長さに亘って形成したものであるが、その形状はスリット状に限られず例えば、直線状に配列した多数の孔部であってもよい。バッファ室４９は、吐出口４８から吐出される気体の圧力を長さ方向で均一にするためのものであり、例えば吐出口４８とほぼ同じ長さに亘ってチューブ状に形成される（図３（ｂ）の部分拡大図参照）。またバッファ室４９は供給管５０及びバルブＶ３を介して気体例えば窒素（Ｎ２）の供給を行う気体供給部５１と接続されている。詳しくは図３（ｂ）に示すように後述するアーム部５３の内部に形成される供給管５０が現像液供給ノズル４の内部で二つに分岐し、気体吹きつけ手段４Ｂの両端からバッファ室４９内に気体の供給を行う構成とされている。
【００２２】
また、図３（ａ）に示すように支持部材４７と気体吹きつけ手段４Ｂとの接続部位には、送風口４８の向きを現像液ノズル４の進行する方向に沿って変更可能なように回動部５２が設けられており、送風口４８から所定の方向に気体を吹き付けることができるように予め気体吹きつけ手段４Ｂの向き（送風口４８による送風角度δ）の設定がなされている。この送風角度δについては、現像液ノズル４が現像液をウエハＷの表面に接触させながら移動するときに、吐出口４３から吐出され、ウエハＷの表面に付着した現像液に気体を吹き付けて、当該現像液を現像液ノズル４の移動する方向（前方側）に押し流すことができるように設定される。
【００２３】
次いで第１の移動機構５について図３（ｂ）を参照して説明する。第１の移動機構５は、現像液ノズル４を吊り下げ支持し、例えばその内部に上述した供給管４１，５０の一部が形成されるアーム部５３と、このアーム部５３を介し、現像液ノズル４をガイドレール３０に沿って移動させるベース部５４とを備えている。このベース部５４は例えばボールネジ機構５５等により構成される昇降機構５６を有し、例えばモータなどの図示しない動力源からの駆動力によりアーム部５３をＺ方向に移動（上下）させ、これにより現像液供給ノズル４とウエハＷとの距離を任意に変更できるようになっている。
【００２４】
これまで述べてきた駆動部２１、昇降部２５、第１の移動機構５、第２の移動機構３２及び開閉バルブＶ１，Ｖ２，Ｖ３は夫々制御部３７と接続されており、例えば駆動部２１によるスピンチャック２の昇降に応じて、図１に示すように第１の移動機構５により現像液ノズル４をカップ２２の内側に移動させたり、第２の移動機構３２により洗浄ノズル３１をウエハＷの上方に移動させるように、各部位を連動させたコントロールができるようになっている。また制御部３７は現像処理に関する各部位の駆動データが記録されたデータ記憶部３８と接続されており、上記のようなコントロールを行う際にデータ記憶部３８内に格納された複数の処理レシピから処理条件に合致するものを選択し、参照する構成とされている。処理レシピには例えば前記開閉バルブＶ１，Ｖ２の開閉動作のタイミング、第１の移動機構５及び第２の移動機構３２の移動開始や停止のタイミング、更には移動速度や現像液の吐出を行う高さや、現像液供給部４２に含まれる図示しない現像液吐出用のポンプの吐出流量、或いはウエハＷに供給された現像液を押し流すための送風口４８からの気体の噴出圧力等が、例えばレジスト膜と現像液との組み合わせに応じて多数用意されている。
【００２５】
次に上述実施の形態の作用について図４及び図５に基づいて説明する。先ずスピンチャック２をカップ２２の上方まで上昇させ、既に前工程でレジストが塗布され、所定の露光処理が行われたウエハＷが図示しない搬送アームからスピンチャック２に受け渡される。そしてウエハＷが図１中実線で示す所定の位置に来るようにスピンチャック２を下降させる。なおこのとき外カップ２３及び内カップ２４は共に下降した状態である。
【００２６】
続いて第１の移動機構５がガイドレール３０に沿って外カップ２３とウエハＷの周縁との間に対応する位置例えば内カップ２４の上方まで案内され、続いてその位置から例えばウエハＷの一端側の吐出開始位置まで下降し（図１参照）、処理レシピの中で設定されたウエハＷに対して現像液の供給を行う高さ、例えば吐出口４３の下端がウエハＷ表面から１．０ｍｍ上方となるようにセットされる。そして現像液ノズル４の液供給部４Ａには、開閉バルブＶ１を開いて現像液供給部４２より現像液を供給し、これに伴い開閉バルブＶ２も開いて気体供給部５１から気体吹きつけ手段４Ｂへ気体を供給する。こうして吐出口４３から現像液を吐出すると共に送風口４８から気体の噴出を開始しながら現像液ノズル４をウエハＷの一端側から他端側へと例えば図４（ａ）に示すように矢印で示す方向に所定の速度例えば１４０〜３５０ｍｍ／ｓｅｃ程度の速度で移動させる。
【００２７】
このとき現像液ノズル４からは、例えば２００ｍｍ径のウエハであれば流量が１．２リットル／分程度、例えば３００ｍｍ径のウエハであれば流量が１．８リットル／分程度となるように制御部３７により供給量が制御されて現像液の供給が行われるが、当該現像液ノズル４は高速で移動するため図４（ｂ）に示すように現像液は吐出口４３の直下位置よりも移動方向即ち進行方向（図中左側）に対して後方側にてウエハＷの表面と接触する。一方、気体吹きつけ手段４Ｂからの気体は、既述のように吐出口４３から吐出された現像液を前方側に押し流すことができるような角度及び気体の噴出圧力によっても変化する。詳しくは噴出圧力との関係で、例えば現像液ノズル４とウエハＷとの間で表面張力によって繋がる現像液が途切れることなく、且つ現像液を前方側に押し出すことで現像液ノズル４の通過後のウエハＷの表面における有効領域全体が目視では液膜を確認できない状態となるように、送風口４８の送風角度が設定される。
【００２８】
「目視では液膜を確認できない」とは、例えば図４（ｂ）の例で言えば吐出口４３から吐出されてウエハＷの表面と接触した現像液が、現像液ノズル４の移動に伴い表面張力により前方側に引き寄せられ、結果として現像液ノズル４の過ぎ去った後方側におけるウエハＷの表面に例えば一見して液膜を認識できないことであり、図１６のＰ２の領域に相当する。レジスト膜の表面の撥水性の程度にもよるが、未露光領域においては、現像液が全く残らないか、或いは厚さ０．１ｍｍ以下の現像液の液膜が形成される。また露光領域においてはレジストが親水性に変わるため、例えば０．１ｍｍ以下の液膜が形成されるか、或いは現像液が浸透した状態、またはその両方が起こった状態となる。
【００２９】
こうして現像液ノズル４が移動を続けると、大部分の現像液は当該現像液ノズル４と共に前方側に移動していき、現像液ノズル４がウエハＷの他端側外方まで移動すると、これら現像液は内カップ２４の上方或いは外カップ２３の内壁面に当たってドレイン管２８へと向かう。そして現像液ノズル４をウエハＷの他端側の吐出停止位置にて移動を停止させると共に、開閉バルブＶ１及びＶ３を閉じ、当該現像液ノズル４を待機位置例えばバスユニット３５の上方まで戻す。
【００３０】
一方、ウエハＷの表面では大部分の現像液が除去されているが、上記のようにいずれの部位も一度は現像液と接触しているため、レジスト膜のうちの露光された部分については現像液が浸透し、当該接触の直後から現像反応は進行する。図４（ｂ）の右下に示す拡大図は例えばウエハＷの表面に極薄い液膜が残った場合を示したものであるが、図示するように、例えばポジ型のレジスト膜Ｒ（露光領域をＲ１、未露光領域をＲ２とする）の表面では露光領域Ｒ１のレジスト膜が現像液により溶解され、この反応が３次元的に進行して、図ではレジスト膜Ｒの底部へ向けて露光領域Ｒ１の溶解が進む。なお図４（ｂ）では液膜は一様の厚さで描いてあるが未反応領域Ｒ１の表面には液膜が殆ど存在しない場合もある。
【００３１】
そしてレジスト膜Ｒにおける露光領域Ｒ１が全て溶解するだけの時間、例えば６０秒程静止現像を行い、当該時間が経過すると第２の移動機構３２の働きにより例えば図１に示すように洗浄ノズル３１がバスユニット３６の上方からウエハＷの上方へと移動させる。そして図５に示すようにウエハＷの中心部上方に洗浄ノズル３１の吐出口３１ａが位置するように位置決めすると共に基板保持部２が回転し、バルブＶ２を開くことで洗浄ノズル３１から洗浄液例えば純水がウエハＷ中心部に供給され、この純水がウエハＷの遠心力によりウエハＷの中心部から周縁部へ広がることで現像液（及びレジストの溶解生成物）が洗い流される。その後このウエハＷはスピン乾燥などの工程を経て現像処理が終了する。
【００３２】
これまで述べてきたように本発明に係る実施の形態によれば、現像液ノズル４のスキャン速度を従来の２〜５倍に高速化すると共にから当該現像液ノズル４から吐出された現像液がウエハＷの表面に接触した後、これを直ちに気体吹きつけ手段４Ｂからの送風により現像液ノズル４の進行方向側（前方側）に押し流し、当該現像液ノズル４の通過後におけるウエハＷの表面が目視では液膜を確認できない状態となるようにしているため、従来のようにウエハＷ上に現像液を目視で確認できるほどに液盛りしなくても現像処理を行うことができ、現像液の使用量を極めて少量に抑えることができる。
【００３３】
また大部分の現像液がウエハＷの表面から除去されるため、目視で確認できるほどの厚さの液膜を形成することによる弊害、例えば既述の図１６に示すように膜厚が面内で不均一になることによる現像むらの発生を抑えることができ、プルバック現象（液弾き）も生じにくいため、レジスト膜表面の撥水性の大小に拘わらず面内均一性の高い現像処理を行うことができる。
【００３４】
ところで発明者の試験によれば、上述実施の形態によることでレジストは現像液と十分に反応していることが、即ち図４（ｂ）の例でいうならば露光領域Ｒ１は底面までレジストは現像液により溶解されていることが確認されている。即ち本発明は、被現像対象となるレジスト膜の厚さに対し、従来手法における現像液の供給量は供給過多であり、現像液の液膜を形成せずともレジスト膜の表面に接触させるだけでも十分であるということに着目したものであり、これをスキャン方式と組み合わせることで上記の効果を得たものである。
【００３５】
次に第２の実施の形態について説明する。現像液の種類や塗布条件等によっては現像液との反応により生じたレジストの溶解生成物が周囲に散在し、これがレジストパターンの線幅精度を低下させてしまう場合もあるため、このような場合には上述した現像液ノズル４に代えて例えば図６に示す供給ノズル６を用いて、以下の手法により現像処理を行うことができる。供給ノズル６は液吐出部６Ａに既述の気体吹きつけ手段４Ｂを組み合わせたものを用いることができるため、ここでは現像液ノズル４と差異のある液吐出部６Ａのみ説明を行う。供給ノズル６は既述の吐出口４３に相当する、ウエハＷの有効領域（デバイスの形成領域）の幅と同じかそれ以上の長さに亘って現像液を吐出できるように形成されたスリット状の吐出口６１と、この吐出口６１に現像液流路６２を介して連通される現像液貯留部６Ｂと、前記吐出口６１に希釈液流路６３を介して連通される希釈液貯留部６Ｃと、を備えている。現像液貯溜部６Ｂは開閉バルブＶ４を備えた供給管６４を介して現像液供給部６５に接続され、希釈液貯溜部６Ｃは開閉バルブＶ５を備えた供給管６６を介して希釈液供給部６７に接続されている。即ち、この供給ノズル６は現像液ノズルと希釈液供給ノズルとを兼用するものであり、開閉バルブＶ４，Ｖ５の切り替えによって、吐出口６１から現像液が吐出され、或いは現像液を希釈するための希釈液例えば純水が吐出される。また図中４６は緩衝棒４６と同様の働きをなす緩衝棒６８である。
【００３６】
次いで第２の実施の形態の作用について図７を参照しながら説明を行う。先ず供給ノズル６をウエハＷの一端側における吐出開始位置まで移動し、開閉バルブＶ４及び開閉バルブＶ３を開いた後、図７（ａ）に示すようにウエハＷの一端側から太他端側へと移動させる。このときにおける供給ノズル６のスキャン速度、及び吐出流量は上述実施の形態と同様であり、供給ノズル６が他端側まで移動を終えると開閉バルブＶ４，Ｖ５が閉じられる。このとき大部分の現像液は供給ノズル６と共にウエハＷの外方に押し流されており、ウエハＷの表面には例えば目視では確認できない程度の極薄い液膜Ａが形成される。そして所定時間例えば１０秒程度放置して現像反応を進行させると共に、供給ノズルを吐出開始位置まで戻す。しかる後所定の放置時間が経過すると、図７（ｃ）に示すように開閉バルブＶ５を開き供給ノズル６を例えば現像液供給時と同方向、且つ同速度で移動させる。これによりウエハＷの表面に希釈液例えば純水が供給され、レジストの溶解生成物の面内濃度が均一化する。そしてウエハＷ全面に希釈液の供給を終えると、開閉バルブＶ５が閉じられ供給ノズル６は図示しない待機位置まで戻される。次いで図５に示したのと同様の手法にてウエハＷの洗浄が行われ、これによりウエハＷ表面に存在する希釈されたレジストの溶解生成物が除去される。
【００３７】
このように第２の実施の形態では先の実施の形態と同様の手法により現像液の塗布を行っているため、レジスト膜上に多量の現像液が存在することはなく、これを介してレジストの溶解生成物が周囲に散在してしまう可能性は低いが、現像液供給後に希釈液を供給することで前記溶解生成物が散在する可能性を一層低減できるという効果がある。
【００３８】
ところで、これまで述べてきた現像液ノズル４または供給ノズル６にて現像液の供給を行った場合（ここでは希釈液の供給は行っていないものとする）であっっても、現像液の種類や処理条件によっては、レジスト膜の表面に現像液が接触しただけでは現像液の浸透が十分でない場合もある。このような場合、露光パターン内における露光領域をＲ１、未露光領域をＲ２として模式的に表すと、例えば図８（ａ）に示されるように、レジスト膜Ｒにおける露光領域Ｒ１の表面近傍のみで現像反応が起こり、この反応は底面側（図中Ｗの方向）までは進行していない。そこでこのような場合には液盛り用ノズルを用い、現像液の重ね塗りを行うことで露光領域Ｒ１の全体に現像反応を進行させることができる。
【００３９】
この場合における現像液の重ね塗りは「従来の技術」にて述べた手法、即ち、上述実施の形態のように気体吹きつけ手段４Ｂによる送風を行わず、且つ多量の現像液を吐出させながら７０ｍｍ／秒程度の速度で現像液ノズルを移動させ、ウエハＷ表面に例えば０．５ｍｍ〜１．０ｍｍの厚さの現像液の液膜を形成する。使用する液盛り用ノズルは専用のものであっても構わないし、現像液ノズル４（或いは供給ノズル６）を兼用しても構わない。このとき露光領域Ｒ１の表面では一度目の塗布による現像液との反応により親水性（濡れ性）が高まっており、二度目の塗布による現像液は図８（ｂ）に示すように露光領域Ｒ１の全体に３次元的に浸透していく。
【００４０】
このように本実施の形態は、一度塗りでレジスト膜の露光領域の親水性を高めておき、その後現像液の二度塗りをすることで露光領域全体に現像反応を進行させられるため、現像反応を確実に行うことができ、更にはレジスト膜の表面の撥水性の大小に左右されることなく現像処理を行える。また本実施の形態は、他の実施の形態における一度目の現像液塗布だけではウエハＷ上のレジストを十分に現像（溶解）できないいずれの場合（後述のものも含む）においても適用が可能である。
【００４１】
ところでレジスト膜の撥水性（疎水性）については、未露光領域のレジスト膜の表面に滴下した水滴の接触角を疎水性の指標として測定する方法があり、この値（角度）により上記の手法を用いるか否か判断することができる。これまで述べてきた各実施の形態（後述のものも含む）はいずれも前記接触角が大きい場合即ち、レジスト膜の表面の撥水性が高い場合においてこれに左右されることなく線幅精度の高い現像を行うことができるため、例えば前記接触角が６０度以上の場合に適用することが好ましい。なお、接触角とは図９に示すように水滴Ｄの頂部とレジスト膜（但し未露光領域）Ｒ表面上の水滴Ｄの外縁とを結ぶ線がウエハＷ表面に対してなす角θを２倍した角度のことで、ここでは図９（ａ）に示すウエハＷ表面の方が図９（ｂ）のそれより撥水性が高いことが分かる。
【００４２】
また液送り手段は、上述した気体吹きつけ手段４Ｂに限定されるものではなく、例えば液吐出部４Ａと一体的に構成せず、別個に設けるようにしてもよい。具体的には液吐出部４Ａが現像液をウエハＷに接触させながら移動するときに、表面張力により当該現像液が液吐出部４Ａに引き寄せられて液吐出部４Ａの通過後のウエハＷの表面が目視では確認できない状態となるように、現像液を押し流すことができるのであれば、例えば気体吹きつけ手段４Ｂと同様のものを現像液ノズル４の移動領域の上方の一点に固定して設け、送風口４８の向きが現像液ノズル４の移動に併せて上下に首振りするような構成としてもよいし、或いは液吐出部４Ａの移動に伴いその後方を移動する図示しない移動機構と接続された構成としても構わない。
【００４３】
液送り手段の更に他の例としては、以下のものを挙げることができる。図１０は気体吹きつけ手段４Ｂに代えて基板保持部２上端におけるウエハＷの吸着部位に、ウエハＷを吸着保持すると共に、吸着したウエハＷを水平姿勢から現像液ノズル７Ａの進行方向側に下がるように傾ける傾き調節手段である傾斜機構７１を設けたものである。傾斜機構７１は例えば液吐出部４Ａと同様の構成である現像液ノズル７Ａを、図示するようにウエハＷの一端側から他端側に移動させたとき、例えば吐出口７３からウエハＷ表面に供給された現像液が表面張力で繋がったまま、進行方向側に引き寄せられ、結果として現像液ノズル７２の通過後のウエハＷの表面が目視では現像液の存在を確認できない状態となるように、ウエハＷの傾きαを設定する。また、この場合は例えば第１の移動機構５の働きにより現像液ノズル７Ａの高さを徐々に下げ、ウエハＷと吐出口７３との距離が常に一定間隔を保つようにすることが好ましい。
【００４４】
図１１に示す実施の形態は、図３にて説明した気体吹きつけ手段４Ｂのように気体で現像液を（現像液ノズル４の進行方向側に）押し出すのではなく、物理的手段な押圧手段例えば極めて柔らかな刷毛状部材７４にて現像液を進行方向側に押圧する例を示したものである。この例では刷毛状部材７４は例えば液吐出部４Ａと同様の構成をなす液吐出部７５の後方側に、且つ液吐出部７５の長さ方向に亘って設けられている。そして刷毛状部材７４及び液吐出部７５からなる現像液ノズル７Ｂの移動に伴い刷毛状部材７４が現像液を前方側に押し出し、現像液ノズル７Ｂの通過後のウエハＷの表面を現像液ノズル４を用いた場合と同様の状態、即ち現像液ノズル７Ｂの通過後のウエハＷ表面が目視で液膜を確認できない状態とすることができるようになっている。なお気体吹きつけ手段４Ｂと同等の効果を挙げることができるのであれば、部材は刷毛状に限られず、例えば屈曲性が高く、現像液ノズル７Ｂの移動時に後方側に屈曲するような板体やヘラ状の部材等であってもよい。
【００４５】
また図１２は気体吹きつけ手段４Ｂや刷毛状部材７４に代えて、現像液ノズル７Ｃの液吐出部７６（例えば液吐出部４Ａと同様の構成をなす）の後方に、吸引手段７７を設けたものである。吸引手段７７は配管７８及びバルブＶ６を介して吸引ポンプＰ１と接続されている。この吸引手段７７は既述の液送り手段とは異なり、現像液ノズル７Ｃが現像液をウエハＷの表面に供給しながら移動するとき、液吐出部７６から吐出され、ウエハＷの表面に接触した現像液を当該吸引手段７７の下方先端に形成される吸引口７９から吸引することで、この吸引によって当該現像液ノズル７Ｃの後方側が目視で液膜を確認できない状態となるようにするものである。従って図示は省略するが、吸引口７９も例えば例えば気体吹きつけ手段４Ｂにおける送風口４８と同様に、液吐出部７６の長さ方向に亘って多数配列される構成とされている。
【００４６】
更に本実施の形態における液送り手段または吸引手段は必ずしも設けなくても（使用しなくても）よく、この場合には現像液ノズルからの現像液がウエハＷの表面に接触しながら、現像液ノズルの通過後のウエハＷの表面が目視では液膜を確認できない状態となるように現像液の供給量と現像液ノズルの移動速度とを調整することが好ましい。このような調節を行うことで現像液ノズルから吐出される現像液は表面張力により繋がる当該現像液ノズルに引き寄せられながら、現像液ノズルの進行方向側に移動していくため、結果として上述した他の実施の形態と同様の効果を得ることができる。またこの場合には、現像液ノズルを例えば液吐出部４Ａのように吐出口４３をウエハＷの表面と離間させて現像液の供給を行うのでなく、吐出口近傍部位を例えばスポンジ体等の液吸収体にて構成し、この液吸収体をウエハＷに接触させて現像液の供給を行うものであってもよい。このような構成においては、液吸収体を現像液により膨潤している状態でウエハＷの表面に接触させることが好ましい。
【００４７】
なお、以上において気体吹きつけ手段４Ｂから供給する気体の種類は、窒素（Ｎ２）ガスに限られるものではなく、同様の効果を奏すると共に現像液の性質及びウエハＷ表面における現像反応に影響を与えるものでなければ他の気体を用いるようにしてもよい。具体的には例えば窒素ガス以外の不活性ガスや空気を用いることが可能である。
【００４８】
次いで本実施の形態に係る現像処理装置を現像ユニットとして組み込んだパターン形成装置について説明を行う。図１３中Ｓ１は基板であるウエハＷが例えば１３枚密閉収納された基板カセットＣを搬入出するためのカセット載置部であり、基板カセットＣを複数個載置可能な載置台８１と、この載置台８１から見て前方の壁面に設けられる開閉部８２と、開閉部８２を介して基板カセットＣからウエハＷを取り出すための受け渡し手段８３とが設けられている。
【００４９】
カセット載置部Ｓ１の奥側には筐体８４にて周囲を囲まれる処理部Ｓ２が接続されており、この処理部Ｓ２には手前側から順に、上述の基板ベーク装置を含む加熱・冷却系のユニットを多段化した棚ユニットＵ１，Ｕ２，Ｕ３と、後述する塗布・現像ユニットを含む各処理ユニット間のウエハＷの受け渡しを行う主搬送手段８５Ａ，８５Ｂとが交互に配列して設けられている。即ち、棚ユニットＵ１，Ｕ２，Ｕ３及び主搬送手段８５Ａ，８５Ｂはカセット載置部Ｓ１側から見て前後一列に配列されており、各々の接続部位には図示しないウエハ搬送用の開口部が形成されており、ウエハＷは処理部Ｓ１内を一端側の棚ユニットＵ１から他端側の棚ユニットＵ２まで自由に移動できるようになっている。また主搬送手段８５Ａ，８５Ｂは、カセット載置部Ｓ１から見て前後方向に配置される棚ユニットＵ１，Ｕ２，Ｕ３側の一面部と、右側の液処理ユニットＵ４，Ｕ５側の一面部と、左側の一面をなす背面部とで構成される区画壁８６により囲まれる空間内に置かれている。また図中８７，８８は各ユニットで用いられる処理液の温度調節装置や温湿度調節用のダクト等を備えた温湿度調節ユニットである。
【００５０】
液処理ユニットＵ４，Ｕ５は、例えば図１４に示すように塗布液（レジスト液）や現像液といった薬液供給用のスペースをなす収納部８９の上に、塗布ユニットＣＯＴ、現像ユニットＤＥＶ等を複数段例えば５段に積層した構成とされている。また既述の棚ユニットＵ１，Ｕ２，Ｕ３は、液処理ユニットＵ４，Ｕ５にて行われる処理の前処理及び後処理を行うための各種ユニットを複数段例えば１０段に積層した構成とされている。
【００５１】
処理部Ｓ２における棚ユニットＵ３の奥側には、例えば第１の搬送室９１及び第２の搬送室９２からなるインターフェイス部Ｓ３を介して露光部Ｓ４が接続されている。インターフェイス部Ｓ３の内部には処理部Ｓ２と露光部Ｓ４との間でウエハＷの受け渡しを行うための２つの受け渡し手段９３，９４の他、棚ユニットＵ６及びバッファカセットＣ０が設けられている。
【００５２】
この装置におけるウエハの流れについて一例を示すと、先ず外部からウエハＷの収納された基板カセットＣが載置台８１に載置されると、開閉部８２と共に基板カセットＣの蓋体が外されて受け渡し手段８３によりウエハＷが取り出される。そしてウエハＷは棚ユニットＵ１の一段をなす受け渡しユニット（図示せず）を介して主搬送手段８５Ａへと受け渡され、棚ユニットＵ１〜Ｕ３内の一の棚にて、塗布処理の前処理として例えば疎水化処理、冷却処理が行われ、しかる後塗布ユニットＣＯＴにてレジスト液が塗布される。こうして表面にレジスト膜が形成されると、ウエハＷは棚ユニットＵ１〜Ｕ３の一の棚をなす加熱ユニット（基板ベーク装置）で加熱され、更に冷却された後棚ユニットＵ３の受け渡しユニットを経由してインターフェイス部Ｓ３へと搬入される。このインターフェイス部Ｓ２においてウエハＷは例えば受け渡し手段９３→棚ユニットＵ６→受け渡し手段９４という経路で露光部Ｓ４へ搬送され、露光が行われる。露光後、ウエハＷは逆の経路で主搬送手段８５Ａまで搬送され、現像ユニットＤＥＶにて現像されることでレジストマスクが形成される。しかる後ウエハＷは載置台８１上の元の基板カセットＣへと戻される。
【００５３】
【発明の効果】
以上のように本発明によれば、基板に対してスキャン方式による現像液の塗布を行うにあたり、現像液を基板に接触させながら現像液ノズルを移動させると共に、現像液ノズルの通過した後に目視で液膜を確認できない状態となるように現像液を進行方向側に向かわせ、または現像液を吸引しているため、基板上から大部分の現像液を除去しながら、当該基板上に形成された露光済みのレジストを溶解することができる。従って、撥水性の高いレジスト膜に対してもプルバック現象（液弾き）の発生を抑えながら基板に現像液を接触させることができ、また従来に比して極めて少ない量の現像液で基板上のレジストを溶解できるため、現像液の消費量を抑えることができる。
【図面の簡単な説明】
【図１】本発明に係る現像処理装置の実施の形態を示す縦断面図である。
【図２】本発明に係る現像処理装置の実施の形態を示す平面図である。
【図３】前記現像処理装置にて用いられる現像液ノズルを示す説明図である。
【図４】本実施の形態における作用を示す作用説明図である。
【図５】本実施の形態における作用を示す作用説明図である。
【図６】本発明の他の実施の形態における現像液ノズルを示す縦断面図である。
【図７】前記他の実施の形態における作用を示す作用説明図である。
【図８】本発明の更に他の実施の形態を説明する説明図である。
【図９】レジスト膜表面における撥水性の指標となる接触角を説明するための模式図である。
【図１０】本発明の更に他の実施の形態を説明する説明図である。
【図１１】本実施の更に他の実施の形態を説明する説明図である。
【図１２】本実施の更に他の実施の形態を説明する説明図である。
【図１３】前記現像処理装置を組み込んだパターン形成装置の一例を示す平面図である。
【図１４】前記パターン形成装置の一例を示す斜視図である。
【図１５】従来の現像処理装置の一例を表す説明図である。
【図１６】発明が解決しようとする課題を説明するための説明図である。
【図１７】従来の現像処理装置において生じていたプルバック現象を説明する模式図である。
【図１８】発明が解決しようとする課題を説明するための説明図である。
【符号の説明】
Ｗ　　　　　半導体ウエハ
２　　　　　基板保持部
２２　　　　カップ
３０　　　　ガイドレール
３１　　　　洗浄ノズル
３４　　　　洗浄液供給部
３７　　　　制御部
４　　　　　現像液ノズル
４Ａ　　　　液吐出部
４Ｂ　　　　気体吹きつけ手段（液送り手段）
４２　　　　現像液供給部
４８　　　　送風口
５　　　　　第１の移動機構
５１　　　　気体供給部
５２　　　　回動部
６　　　　　供給ノズル
【図１】
2004071637.tif 000003
【図２】
2004071637.tif 000004
【図３】
2004071637.tif 000005
【図４】
2004071637.tif 000006
【図５】
2004071637.tif 000007
【図６】
2004071637.tif 000008
【図７】
2004071637.tif 000009
【図８】
2004071637.tif 000010
【図９】
2004071637.tif 000011
【図１０】
2004071637.tif 000012
【図１１】
2004071637.tif 000013
【図１２】
2004071637.tif 000014
【図１３】
2004071637.tif 000015
【図１４】
2004071637.tif 000016
【図１５】
2004071637.tif 000017
【図１６】
2004071637.tif 000018
【図１７】
2004071637.tif 000019
【図１８】
2004071637.tif 000020